(57)【要約】【課題】  画像を表示するときにその一部を容易かつ正確に隠して表示することができる画像表示システム、携帯端末装置、制御方法、及び、制御プログラムを提供する。【解決手段】撮像部５により撮像されたノート用紙２１の画像情報における補正記号２７を検出し、検出した補正記号２７に基づいてノート用紙２１の画像情報を補正して縦横を整え、ノート用紙２１の画像情報における縦用マスキングマーク１１ａ及び横用マスキングマーク１１ｂを検出し、検出した縦用マスキングマーク１１ａ及び横用マスキングマーク１１ｂに基づいて画像情報の縦方向に延びる縦境界線１３ａ及び横方向に延びる横境界線１３ｂをそれぞれ画定し、縦境界線１３ａ及び横境界線１３ｂに基づいて画像情報に対するマスキング領域１４を画定し、ノート用紙２１の補正した画像情報を表示部６に表示し、マスキング領域１４にマスキング画像１５を表示し、タッチパネル７のタッチに基づいてマスキング画像１５を非表示にする。【選択図】図４
2013122641.tif 000002
【特許請求の範囲】
【請求項１】
補正記号が表示された用紙と、
前記用紙の画像情報を処理する携帯端末装置と、を備え、
前記携帯端末装置は、前記用紙を撮像可能な撮像部と、当該撮像部により撮像された前記用紙の画像情報を表示可能な表示部と、前記表示部上に配置されたタッチパネルと、制御部と、を備え、
前記用紙にマスキング領域を画定するための縦用マスキングマーク及び横用マスキングマークが表示され、
前記制御部は、
前記撮像部により撮像された前記用紙の画像情報における前記補正記号を検出し、
検出した前記補正記号に基づいて前記用紙の画像情報を補正して縦横を整え、
前記用紙の画像情報における前記縦用マスキングマーク及び前記横用マスキングマークを検出し、
検出した前記縦用マスキングマーク及び前記横用マスキングマークに基づいて前記画像情報の縦方向に延びる縦境界線及び横方向に延びる横境界線をそれぞれ画定し、
前記縦境界線及び前記横境界線に基づいて前記画像情報に対するマスキング領域を画定し、
前記用紙の補正した画像情報を前記表示部に表示し、
前記マスキング領域にマスキング画像を表示し、
前記タッチパネルのタッチに基づいて前記マスキング画像を非表示にする、画像表示システム。
【請求項２】
前記縦用マスキングマーク及び前記横用マスキングマークがユーザーによる記入によって表示される請求項１に記載の画像表示システム。
【請求項３】
前記縦用マスキングマーク及び前記横用マスキングマークが前記用紙に予め表示されている請求項１に記載の画像表示システム。
【請求項４】
補正記号が表示された用紙の画像情報を処理する携帯端末装置であって、
前記用紙を撮像可能な撮像部と、当該撮像部により撮像された前記用紙の画像情報を表示可能な表示部と、前記表示部上に配置されたタッチパネルと、制御部と、を備え、
前記用紙にマスキング領域を画定するための縦用マスキングマーク及び横用マスキングマークが表示され、
前記制御部は、
前記撮像部により撮像された前記用紙の画像情報における前記補正記号を検出し、
検出した前記補正記号に基づいて前記用紙の画像情報を補正して縦横を整え、
前記用紙の画像情報における前記縦用マスキングマーク及び前記横用マスキングマークを検出し、
検出した前記縦用マスキングマーク及び前記横用マスキングマークに基づいて前記画像情報の縦方向に延びる縦境界線及び横方向に延びる横境界線をそれぞれ画定し、
前記縦境界線及び前記横境界線に基づいて前記画像情報に対するマスキング領域を画定し、
前記用紙の補正した画像情報を前記表示部に表示し、
前記マスキング領域にマスキング画像を表示し、
前記タッチパネルのタッチに基づいて前記マスキング画像を非表示にする、携帯端末装置。
【請求項５】
補正記号が表示された用紙と、前記用紙の画像情報を処理する携帯端末装置と、を備える画像表示システムを制御する制御方法であって、
前記携帯端末装置は、前記用紙を撮像可能な撮像部と、当該撮像部により撮像された前記用紙の画像情報を表示可能な表示部と、前記表示部上に配置されたタッチパネルと、制御部と、を備え、
前記用紙にマスキング領域を画定するための縦用マスキングマーク及び横用マスキングマークが表示され、
前記制御部が、
前記撮像部により撮像された前記用紙の画像情報における前記補正記号を検出し、
検出した前記補正記号に基づいて前記用紙の画像情報を補正して縦横を整えるステップと、
前記用紙の画像情報における前記縦用マスキングマーク及び前記横用マスキングマークを検出するステップと、
検出した前記縦用マスキングマーク及び前記横用マスキングマークに基づいて前記画像情報の縦方向に延びる縦境界線及び横方向に延びる横境界線をそれぞれ画定するステップと、
前記縦境界線及び前記横境界線に基づいて前記画像情報に対するマスキング領域を画定するステップと、
前記用紙の補正した画像情報を前記表示部に表示するステップと、
前記マスキング領域にマスキング画像を表示するステップと、
前記タッチパネルのタッチに基づいて前記マスキング画像を非表示にするステップと、を実行する制御方法。
【請求項６】
補正記号が表示された用紙と、前記用紙の画像情報を処理する携帯端末装置と、を備える画像表示システムを制御する制御プログラムであって、
前記携帯端末装置は、前記用紙を撮像可能な撮像部と、当該撮像部により撮像された前記用紙の画像情報を表示可能な表示部と、前記表示部上に配置されたタッチパネルと、制御部と、を備え、
前記用紙にマスキング領域を画定するための縦用マスキングマーク及び横用マスキングマークが表示され、
前記制御部が、
前記撮像部により撮像された前記用紙の画像情報における前記補正記号を検出し、
検出した前記補正記号に基づいて前記用紙の画像情報を補正して縦横を整えるステップと、
前記用紙の画像情報における前記縦用マスキングマーク及び前記横用マスキングマークを検出するステップと、
検出した前記縦用マスキングマーク及び前記横用マスキングマークに基づいて前記画像情報の縦方向に延びる縦境界線及び横方向に延びる横境界線をそれぞれ画定するステップと、
前記縦境界線及び前記横境界線に基づいて前記画像情報に対するマスキング領域を画定するステップと、
前記用紙の補正した画像情報を前記表示部に表示するステップと、
前記マスキング領域にマスキング画像を表示するステップと、
前記タッチパネルのタッチに基づいて前記マスキング画像を非表示にするステップと、を実行させる制御プログラム。
【発明の詳細な説明】
【技術分野】
【０００１】
本発明は、撮像したものの画像を表示する画像表示システムに関する。また、この画像表示システムのための携帯端末装置、制御方法、及び、制御プログラムに関する。
【背景技術】
【０００２】
近年の情報処理技術の発達により、例えば、携帯電話やスマートフォンなどの携帯端末装置により様々なものを撮像することが行われており、例えば、書類やノートなどの用紙を撮像することも行われている。また、撮像したものの画像を携帯端末装置の画像表示部に表示し、ユーザーがその画像を見ることがある。（例えば、特許文献１参照）
【先行技術文献】
【特許文献】
【０００３】
【特許文献１】特開２０１１‐０６６６９０号公報
【発明の概要】
【発明が解決しようとする課題】
【０００４】
上記のように、何かを撮像してその画像を画像表示部に表示する場合、通常は、撮像したもの全てを表示するように構成されている。しかしながら、全てを表示せずに部分的に画像を隠して表示したいという要求が従来からあった。
【０００５】
本発明は、上記問題を解決するためになされたものであって、画像を表示するときにその一部を容易かつ正確に隠して表示することができる画像表示システム、携帯端末装置、制御方法、及び、制御プログラムの提供を目的とする。
【課題を解決するための手段】
【０００６】
本発明は、上記課題を解決するための画像表示システムであって、補正記号が表示された用紙と、前記用紙の画像情報を処理する携帯端末装置と、を備え、前記携帯端末装置は、前記用紙を撮像可能な撮像部と、当該撮像部により撮像された前記用紙の画像情報を表示可能な表示部と、前記表示部上に配置されたタッチパネルと、制御部と、を備え、前記用紙にマスキング領域を画定するための縦用マスキングマーク及び横用マスキングマークが表示され、前記制御部は、前記撮像部により撮像された前記用紙の画像情報における前記補正記号を検出し、検出した前記補正記号に基づいて前記用紙の画像情報を補正して縦横を整え、前記用紙の画像情報における前記縦用マスキングマーク及び前記横用マスキングマークを検出し、検出した前記縦用マスキングマーク及び前記横用マスキングマークに基づいて前記画像情報の縦方向に延びる縦境界線及び横方向に延びる横境界線をそれぞれ画定し、前記縦境界線及び前記横境界線に基づいて前記画像情報に対するマスキング領域を画定し、前記用紙の補正した画像情報を前記表示部に表示し、前記マスキング領域にマスキング画像を表示し、前記タッチパネルのタッチに基づいて前記マスキング画像を非表示にする、画像表示システムである。
【０００７】
このような構成によれば、縦用マスキングマーク及び横用マスキングマークからマスキング領域を画定し、このマスキング領域をマスキング画像によりマスキングし、タッチパネルのタッチによりマスキング画像を非表示にすることができるので、ノート用紙の画像を表示するときにその一部を容易かつ正確に隠して表示することができる。また、マスキング画像により隠した部分をタッチパネルのタッチにより容易に表示することができる。また、マスキング領域を画定するときに縦境界線及び横境界線に基づいて画定するので、領域を明確に画定することができる。
【０００８】
また、上記の画像表示システムにおいて、前記縦用マスキングマーク及び前記横用マスキングマークがユーザーによる記入によって表示されることが好ましい。
【０００９】
あるいは、上記の画像表示システムにおいて、前記縦用マスキングマーク及び前記横用マスキングマークが前記用紙に予め表示されていることが好ましい。
【００１０】
あるいは、本発明は、上記課題を解決するためになされたものであり、補正記号が表示された用紙の画像情報を処理する携帯端末装置であって、前記用紙を撮像可能な撮像部と、当該撮像部により撮像された前記用紙の画像情報を表示可能な表示部と、前記表示部上に配置されたタッチパネルと、制御部と、を備え、前記用紙にマスキング領域を画定するための縦用マスキングマーク及び横用マスキングマークが表示され、前記制御部は、前記撮像部により撮像された前記用紙の画像情報における前記補正記号を検出し、検出した前記補正記号に基づいて前記用紙の画像情報を補正して縦横を整え、前記用紙の画像情報における前記縦用マスキングマーク及び前記横用マスキングマークを検出し、検出した前記縦用マスキングマーク及び前記横用マスキングマークに基づいて前記画像情報の縦方向に延びる縦境界線及び横方向に延びる横境界線をそれぞれ画定し、前記縦境界線及び前記横境界線に基づいて前記画像情報に対するマスキング領域を画定し、前記用紙の補正した画像情報を前記表示部に表示し、前記マスキング領域にマスキング画像を表示し、前記タッチパネルのタッチに基づいて前記マスキング画像を非表示にする、携帯端末装置であってもよい。
【００１１】
あるいは、本発明は、上記課題を解決するためになされたものであり、補正記号が表示された用紙と、前記用紙の画像情報を処理する携帯端末装置と、を備える画像表示システムを制御する制御方法であって、前記携帯端末装置は、前記用紙を撮像可能な撮像部と、当該撮像部により撮像された前記用紙の画像情報を表示可能な表示部と、前記表示部上に配置されたタッチパネルと、制御部と、を備え、前記用紙にマスキング領域を画定するための縦用マスキングマーク及び横用マスキングマークが表示され、前記制御部が、前記撮像部により撮像された前記用紙の画像情報における前記補正記号を検出し、検出した前記補正記号に基づいて前記用紙の画像情報を補正して縦横を整えるステップと、前記用紙の画像情報における前記縦用マスキングマーク及び前記横用マスキングマークを検出するステップと、検出した前記縦用マスキングマーク及び前記横用マスキングマークに基づいて前記画像情報の縦方向に延びる縦境界線及び横方向に延びる横境界線をそれぞれ画定するステップと、前記縦境界線及び前記横境界線に基づいて前記画像情報に対するマスキング領域を画定するステップと、前記用紙の補正した画像情報を前記表示部に表示するステップと、前記マスキング領域にマスキング画像を表示するステップと、前記タッチパネルのタッチに基づいて前記マスキング画像を非表示にするステップと、を実行する制御方法であってもよい。
【００１２】
あるいは、本発明は、上記課題を解決するためになされたものであり、補正記号が表示された用紙と、前記用紙の画像情報を処理する携帯端末装置と、を備える画像表示システムを制御する制御プログラムであって、前記携帯端末装置は、前記用紙を撮像可能な撮像部と、当該撮像部により撮像された前記用紙の画像情報を表示可能な表示部と、前記表示部上に配置されたタッチパネルと、制御部と、を備え、前記用紙にマスキング領域を画定するための縦用マスキングマーク及び横用マスキングマークが表示され、前記制御部が、前記撮像部により撮像された前記用紙の画像情報における前記補正記号を検出し、検出した前記補正記号に基づいて前記用紙の画像情報を補正して縦横を整えるステップと、前記用紙の画像情報における前記縦用マスキングマーク及び前記横用マスキングマークを検出するステップと、検出した前記縦用マスキングマーク及び前記横用マスキングマークに基づいて前記画像情報の縦方向に延びる縦境界線及び横方向に延びる横境界線をそれぞれ画定するステップと、前記縦境界線及び前記横境界線に基づいて前記画像情報に対するマスキング領域を画定するステップと、前記用紙の補正した画像情報を前記表示部に表示するステップと、前記マスキング領域にマスキング画像を表示するステップと、前記タッチパネルのタッチに基づいて前記マスキング画像を非表示にするステップと、を実行させる制御プログラムであってもよい。
【発明の効果】
【００１３】
本発明の画像表示システム、携帯端末装置、制御方法、及び、制御プログラムによれば、画像を表示するときにその一部を容易かつ正確に隠して表示することができる。
【図面の簡単な説明】
【００１４】
【図１】本発明の一実施形態に係る画像表示システムの概略構成図であり、（ａ）はノートの平面図であり、（ｂ）は携帯端末装置の正面図であり、（ｃ）は携帯端末装置の裏面図である。
【図２】ノートの内部のノート用紙を示す図である。
【図３】携帯端末装置のブロック図である。
【図４】画像表示システムの制御方法のフローチャートである。
【図５】ノート用紙の画像情報に係る補正処理のフローチャートである。
【図６】表示部におけるノート用紙の画像情報の表示の一例を示す図である。
【図７】表示部におけるマスキング画像の表示の一例を示す図である。
【図８】他の実施形態に係るノート用紙を示す図である。
【発明を実施するための形態】
【００１５】
以下、本発明の実施形態について添付図面を参照して説明する。図１は、本発明の一実施形態に係る画像表示システムの概略構成図であり、（ａ）はノートの平面図であり、（ｂ）は携帯端末装置の正面図であり、（ｃ）は携帯端末装置の裏面図である。図１に示すように、この画像表示システム１は、ノート２および携帯端末装置３を備えている。
【００１６】
まず、ノート２について説明する。図２は、ノートの内部を示す図である。図２に示すように、ノート２は、ノート本体２０と、ノート本体２０の内部に配置された複数のノート用紙２１とを備えている。ノート本体２０は、ノート用紙２１を覆う部材であり、ノート２の表紙として構成されている。
【００１７】
ノート用紙２１には、複数のマーク記入部１０（縦用マーク記入部１０ａおよび横用マーク記入部１０ｂ）が表示されている。複数の縦用マーク記入部１０ａは、ノート用紙２１の上部において横方向（図２のｘ方向）に間隔をあけて並べて配置されており、複数の横用マーク記入部１０ｂは、ノート用紙２１の側部（右側）において縦方向（図２のｙ方向）に間隔をあけて並べて配置されている。なお、ｘ方向とｙ方向は直交している。各マーク記入部１０（縦用マーク記入部１０ａおよび横用マーク記入部１０ｂ）は、白抜きの矩形状の枠線により構成されており、枠線の内部を塗り潰すことにより、マスキングマーク１１（縦用マスキングマーク１１ａ及び横用マスキングマーク１１ｂ）を記入することができる。これにより、ノート用紙２１に矩形状のマスキングマーク１１（縦用マスキングマーク１１ａ及び横用マスキングマーク１１ｂ）が表示される。縦用マスキングマーク１１ａは、後述のマスキング領域１４の縦境界線１３ａを画定するためマークであり、横用マスキングマーク１１ｂはマスキング領域１４の横境界線１３ｂを画定するためマークである。また、ノート用紙２１の四隅には、画像を補正するための複数の補正記号２７、２７・・・が表示されている。また、ノート用紙２１には適宜罫線などが表示されており、さらに、ノート用紙２１にはユーザーが筆記具で自由に手書き記入することができる。
【００１８】
次に、携帯端末装置３について説明する。図３は、携帯端末装置のブロック図である。図１及び図３に示すように、携帯端末装置３は、装置本体４、撮像部５、表示部６、タッチパネル７、記憶部８および制御部９を備えている。またその他に、携帯端末装置３は、無線通信のためのアンテナ、音声通話のためのマイクやスピーカーなどを備えている（いずれも図示せず）。このような携帯端末装置１としては、特に限定されるものではなく、例えば、スマートフォン、携帯電話機、ＰＤＡなどが挙げられる。
【００１９】
装置本体４としては、公知のスマートフォンの本体を用いることができ、電源スイッチや各種のボタンを備えている。また、撮像部５は、レンズを通して入射する被写体像を撮像する公知の構成であり、ノート用紙２１を撮像することができる。このような撮像部５としては、例えば、アナログ電気信号を出力するＣＣＤ（Charge Coupled Device）やＣＭＯＳ（Complementary Metal Oxide Semiconductor）等の撮像素子を含み、レンズを通して入射する被写体像を光電変換し、撮像素子からのアナログ電気信号をデジタル電気信号に変換して画像データを出力するものを用いることができる。
【００２０】
表示部６としては、液晶ディスプレイや有機ＥＬディスプレイ等の公知の表示デバイスを用いることができ、その表示画面上に画像情報等を表示することができる。また、タッチパネル７は、ユーザーが表面をタッチしたときにそのタッチ位置を認識可能な公知のタッチパネルであり、表示部６の上に重ねて配置されている。このタッチパネル７としては、抵抗膜方式、表面弾性波方式、電磁誘導方式、静電容量方式等、公知の方式のものを用いることができる。また、このタッチパネル７をユーザーがタッチすることにより、各種の入力をすることができる。例えば、タッチパネル７のタッチにより、撮像部５による撮像、表示部６における表示の指示を入力することができる。
【００２１】
記憶部８は、情報処理のためのプログラム及びデータを記憶する公知のハードディスク又は半導体メモリなどの記憶媒体により構成されている。この記憶部８は、撮像部５により撮像されたノート用紙２１の画像情報を記憶することができる。画像情報は、例えば、ｊｐｅｇ及びｇｉｆなどのファイル形式により記憶される。また、記憶部８には、画像表示システム１を制御するための制御プログラムが記憶されている。また、記憶部８はその他にも各種の情報を適宜記憶することができる。
【００２２】
制御部９は、プログラム及びデータに基づいて情報処理をする公知のＣＰＵなどのプロセッサにより構成されている。この制御部９は、記憶部８に記憶された画像表示システムの制御プログラムを実行することにより、上記の各構成要素を制御することができる。画像表示システムの制御の詳細については、以下に説明する。
【００２３】
次に、上記のような構成を備える画像表示システムを制御する制御方法について説明する。この制御方法は制御プログラムにより実行される。図４は、画像表示システムの制御方法のフローチャートである。この画像表示システム１ではまず、ユーザーがノート用紙２１に筆記具でマスキングマーク１１（縦用マスキングマーク１１ａ及び横用マスキングマーク１１ｂ）を手書き記入する。より詳細には、ユーザーが縦用マーク記入部１０ａおよび横用マーク記入部１０ｂを塗り潰すことにより縦用マスキングマーク１１ａ及び横用マスキングマーク１１ｂを記入する。縦用マスキングマーク１１ａ及び横用マスキングマーク１１ｂを記入する位置は特に限定されるものではなく、図２に示す例では、右寄り２つの縦用マーク記入部１０ａと、上寄り３つの横用マーク記入部１０ｂを塗り潰すことにより、それぞれ縦用マスキングマーク１１ａ及び横用マスキングマーク１１ｂを記入している。これにより、ノート用紙２１に矩形状の縦用マスキングマーク１１ａ及び横用マスキングマーク１１ｂが表示される。（ステップＳ１）
また、ユーザーは、ノート用紙２１に筆記具で自由に手書き記入することができる。例えば、図２に示す例では、日本語の単語とそれを翻訳した英単語とをノート用紙２１に記入している。
【００２４】
また、ユーザーは、ノート用紙２１にマスキングマーク１１を記入した後、このノート用紙２１を携帯端末装置３の撮像部５により撮像する（ステップＳ２）。ノート用紙２１を撮像するときは、ノート用紙２１の四隅に表示された複数の補正記号２７が撮像範囲に入るように行う。
【００２５】
ユーザーが撮像部５によりノート用紙２１を撮像すると、制御部９は、撮像したノート用紙２１の画像情報を補正する（ステップＳ３）。ここで、画像情報の補正処理の一例について説明する。図５は、ノート用紙の画像情報に係る補正処理のフローチャートである。図５に示すように、ノート用紙２１の画像情報を補正するときは、撮像したノート用紙２１の画像情報を縮小し、この画像情報をグレースケール化し、これを更に二値化し、二値化した画像情報から補正記号２７を検出する（ステップＳ３１１、Ｓ３１２）。続いて、検出した補正記号２７に基づいて、ノート用紙２１の四隅を判別し、画像に歪みがあるときは、透視投影変換により画像情報を台形補正する（ステップＳ３１３）。透視投影変換とは、撮像されたノート用紙２１の画像情報を表示部６の画面に対応する二次元投影面に投影するための公知の補正処理である。これによりノート用紙２１の画像情報の縦横が整えられ、その平面視を得ることができる。また、制御部９は、ノート用紙２１の画像情報の画質を調整する（ステップＳ３１４）。画質を調整する際、画像情報のヒストグラムを均一化すると共に、ガンマ補正をすることもできる。更に、画像の不要な部分をトリミングし、画像のサイズを調整する（ステップＳ３１５）。以上より、ノート用紙２１の画像情報が補正される。また、制御部９は、補正したノート用紙２１の画像情報を記憶部８に記憶する。
【００２６】
次に、制御部９は、縦用マスキングマーク１１ａ及び横用マスキングマーク１１ｂを検出する（ステップＳ４）。より詳細には、制御部９がまず、ノート用紙２１の画像情報からノート用紙２１の上部及び側部（右側）の画像部分を切り出し、切り出した画像部分を二値化し、二値化した画像部分から矩形状のマークを検出する。これにより、複数のマークが検出される。次に、制御部９は、上部及び側部の画像部分それぞれについて、検出したそれぞれのマークの面積を算出し、算出した面積が予め設定された最大面積よりも大きい場合、又は、算出した面積が予め設定された最小面積よりも小さい場合は、そのマークを省く。また、制御部９は、検出したマークの縦幅を算出し、算出した縦幅が予め設定された最大縦幅よりも大きい場合、又は、算出した縦幅が予め設定された最小縦幅よりも小さい場合は、そのマークを省く。また、制御部９は、検出したマークの横幅についても、上記の縦幅の場合と同様の処理を行う。これにより、検出したマークのうち、縦用マスキングマーク１１ａ及び横用マスキングマーク１１ｂではないものが省かれる。このようにして、ノート用紙２１の画像情報から、ノート用紙２１の上部の縦用マスキングマーク１１ａ、及び、ノート用紙２１の側部の横用マスキングマーク１１ｂを検出することができる。なお、マスキングマーク１１の検出方法はこの構成に限定されるものではなく、縦用マスキングマーク１１ａ及び横用マスキングマーク１１ｂを検出可能であれば、どのような検出方法を用いてもよい。また、マスキングマーク１１を正確に検出する観点から、ノート用紙２１の用紙サイズ及びマスキングマーク１１の表示範囲を予め規格により定めておくことが好ましい。
【００２７】
図６は、表示部におけるノート用紙の画像情報の表示の一例を示す図である。上記のようにノート用紙２１の画像情報においてマスキングマーク１１を検出した後、制御部９は、図６に示すように、検出した縦用マスキングマーク１１ａ及び横用マスキングマーク１１ｂに基づいて、それぞれ、マスキング領域１４の縦境界線１３ａ及び横境界線１３ｂを画定する。より詳細には、縦用マスキングマーク１１ａからノート用紙２１の画像情報の縦方向（図６のｙ方向）へ延びる縦境界線１３ａを画定する。また、横用マスキングマーク１１ｂからノート用紙２１の画像情報の横方向（図６のｘ方向）へ延びる横境界線１３ｂを画定する。（ステップＳ５）なお、この縦境界線１３ａ及び横境界線１３ｂは、表示部６に表示してもよく、或いは、仮想的な線として表示部６に表示しなくてもよい。
【００２８】
次に、制御部９は、縦境界線１３ａ及び横境界線１３ｂに基づいてマスキング領域１４を画定する（ステップＳ６）。より詳細には、図６に示す本実施形態では、縦境界線１３ａ及び横境界線１３ｂにより囲まれた領域をマスキング領域１４として画定しており、１２個のマスキング領域１４が画定されることになる。これにより、ノート用紙２１の画像情報の全体を覆うように、複数のマスキング領域１４が画定され、各マスキング領域１４は、それぞれ、ノート用紙２１の画像情報の一部分を覆うように画定されている。
【００２９】
次に、制御部９は、ノート用紙２１の画像情報を表示部６に表示する。より詳細には、ユーザーがタッチパネル７をタッチ操作することにより表示部６に表示する画像情報を選択すると、制御部９は、記憶部８から選択されたノート用紙２１の画像情報を呼び出し、表示部６に表示する。（ステップＳ７）
次に、制御部９は、マスキング領域１４にマスキング画像１５を表示することにより、このマスキング領域１４をマスキングする。図７は、表示部におけるマスキング画像の表示の一例を示す図である。図７に示すように、ユーザーがマスキングしたいマスキング領域１４を選択し、そのマスキング領域１４におけるタッチパネル７をタッチすると、制御部９が、そのマスキング領域１４におけるノート用紙２１の画像情報の上に、マスキング画像１５を重ねて表示する。図７に示す例では、マスキング領域１４におけるノート用紙２１の画像情報の上に、黒色に塗り潰した画像をマスキング画像１５として表示している。また、図７に示す例では、ユーザーが右側の３つのマスキング領域１４におけるタッチパネル７をそれぞれタッチし、各マスキング領域１４をマスキングしている。これにより、マスキング領域１４におけるノート用紙２１の画像情報が覆い隠されることになる。（ステップＳ８）
次に、マスキング領域１４にマスキング画像１５が表示された状態で、ユーザーがマスキング領域１４におけるタッチパネル７をタッチすると、制御部９は、タッチされたマスキング領域１４におけるマスキング画像１５の表示を解除して非表示にする（ステップＳ９）。これにより、マスキング画像の下のノート用紙２１の画像が表示される。例えば、図７に示す例では、日本語の単語が表示された部分において、マスキング領域１４のマスキング画像１５が非表示にされ、日本語の単語が表示されたノート用紙２１の画像がユーザーから見える状態になっている。
【００３０】
また、マスキング領域１４にマスキング画像１５が表示されておらず、ノート用紙２１の画像がユーザーから見える状態で、ユーザーがマスキング領域１４におけるタッチパネル７をタッチすると、制御部９は再び、マスキング領域１４にマスキング画像を表示する。このように、マスキング領域１４におけるタッチパネル７をタッチすることにより、マスキング画像１５の表示／非表示を切り替えることができる。
【００３１】
以上のような構成を備える画像表示システムによれば、縦用マスキングマーク１１ａ及び横用マスキングマーク１１ｂからマスキング領域１４を画定し、このマスキング領域１４をマスキング画像１５によりマスキングし、タッチパネル７のタッチによりマスキングを解除することができるので、ノート用紙２１の画像を表示するときにその一部を容易かつ正確に隠して表示することができる。また、マスキングにより隠した画像を容易に表示することができる。また、マスキング領域１４を画定するときに縦境界線１３ａ及び横境界線１３ｂに基づいて画定するので、領域を明確に画定することができる。また、ノート用紙２１にマスキングマーク１１を記入することにより容易にマスキング領域１４を画定することができる。
【００３２】
また、補正記号２７によりノート用紙２１の画像情報を補正するので、表示部６にノート用紙２１の画像を正確に表示できると共に、マスキング領域１４を正確に画定することができる。
【００３３】
以上、本発明の一実施形態について説明したが、本発明の具体的な態様は、上記実施形態に限定されるものではない。
【００３４】
例えば、上記実施形態では、ユーザーの記入によりマスキングマーク１１（縦用マスキングマーク１１ａ及び横用マスキングマーク１１ｂ）を表示する構成であったが、この構成に限定されるものではなく、予めマスキングマーク１１が表示されている構成であってもよい。図８は、他の実施形態に係るノート用紙の平面図である。図８において、図２と同様の構成部分については、同一の符号を付してその説明を省略する。図８に示すように、ノート用紙２１には予め複数の縦用マスキングマーク１１ａ及び横用マスキングマーク１１ｂが表示されている。携帯端末装置３の制御部９は、この表示された縦用マスキングマーク１１ａ及び横用マスキングマーク１１ｂに基づいて、上記と同様に縦境界線１３ａ及び横境界線１３ｂを画定する。図８に示す実施形態では、ノート用紙２１の全体にわたって複数のマスキング領域１４が画定されることになる。このような構成によれば、ユーザーがマスキングマーク１１をノート用紙２１に記入しなくてもよいので、迅速にマスキング領域１４を画定することができる。
【００３５】
また、ノート用紙２１の画像情報の補正処理は、上記の図５に示す実施形態に限定されるものではなく、公知の補正処理を適宜適用することができる。また、ノート用紙２１に表示する補正記号も上記の補正記号２７に限定されるものではなく、適宜設計変更可能であり、どのような補正記号を用いてもよい。上記実施形態以外の補正記号及び補正処理であっても、ノート用紙２１の画像情報の縦横を整え、図６に示すような平面視を得ることができる。
【００３６】
また、上記実施形態では、ノート用紙２１に係る画像表示システム１であったが、これに限定されるものではなく、他の用紙に係る画像表示システムであってもよい。例えば、カルテ用紙に係る画像表示システムにすることにより、カルテ用紙の画像情報を部分的にマスキングすることができる。
【符号の説明】
【００３７】
１    画像表示システム
２    ノート
３    携帯端末装置
４    装置本体
５    撮像部
６    表示部
７    タッチパネル
８    記憶部
９    制御部
１０ａ  縦用マーク記入部
１０ｂ  横用マーク記入部
１１ａ  縦用マスキングマーク
１１ｂ  横用マスキングマーク
１３ａ  縦境界線
１３ｂ  横境界線
１４  マスキング領域
１５  マスキング画像
２０  ノート本体
２１  ノート用紙
２７  補正記号
【図１】
2013122641.tif 000003
【図２】
2013122641.tif 000004
【図３】
2013122641.tif 000005
【図４】
2013122641.tif 000006
【図５】
2013122641.tif 000007
【図６】
2013122641.tif 000008
【図７】
2013122641.tif 000009
【図８】
2013122641.tif 000010